(57)【要約】      （修正有）【課題】簡易な構造で、戸当たりの機能とドアキャッチャー機能の双方を有し、戸当たり本体と係止体の係止が外れ難い戸当りを提供する。【解決手段】床に固定される固定部材１と、上面に凹状係止部１３を有し、固定部材１の中にバネを介して嵌挿される上下可動体１２とを備える戸当たり本体１１と、先端に凹状嵌合部１３の内壁と係止する鉤状係止部２２を有するドアＡに固定される係止体２と、ドアＡ面に対して倒伏状態となる収納位置とドア面に対して起立状態となる使用位置の間で回動自在に係止体２に軸着される箱状のダンパー体３とにより、該戸当たりを構成する。【選択図】図１
0003156456.tif 000002
【実用新案登録請求の範囲】
【請求項１】
床に固定される固定部材と、上面に凹状係止部を有し、該固定部材の中にバネを介して嵌挿される上下可動体とを備える戸当たり本体と、
先端に凹状嵌合部の内壁と係止する鉤状係止部を有するドアに固定される係止体と、
ドア面に対して倒伏状態となる収納位置とドア面に対して起立状態となる使用位置の間で回動自在に該係止体に軸着される箱状のダンパー体と、を備えることを特徴とする戸当たり。
【請求項２】
前記鉤状係止部は、係止体を構成する一部材である水平杆の先端に形成されたものであり、凹状嵌合部の内壁に当接する鉛直面と、上下可動体の上方の角部に当接する傾斜面を有することを特徴とする請求項１記載の戸当たり。
【請求項３】
前記凹状係止部の内壁は、鉛直面であることを特徴とする請求項１又は２記載の戸当たり。
【請求項４】
前記凹状係止部は、円形状底面と該円形状底面から起立する鉛直状の内周壁で形成されることを特徴とする請求項１又は２記載の戸当たり。
【請求項５】
前記固定部材は円筒状本体部を有し、該円筒状本体部の内壁面には、上方から下方に向けて、第１内径部、該第１内径部より大の内径を有する第２内径部及び該第２内径部と同じか僅かに大の内径を有する雌螺子が順次形成され、該第１内径部と該第２内径部とで段差を形成していることを特徴とする請求項１〜４のいずれか１項に記載の戸当たり。
【請求項６】
前記固定部材は、前記円筒状本体部の雌螺子に螺合する雄螺子が周面に形成された床に固定される円板状の基台を更に有することを特徴とする請求項５記載の戸当たり。
【請求項７】
前記固定部材は、前記円筒状本体部の雌螺子に螺合する雄螺子が周面に、上面の中央にバネ位置決め用突起がそれぞれ形成された、該雌螺子の上端位置で固定される円板状のバネ支持基台を、円筒状本体部の中に更に有することを特徴とする請求項６記載の戸当たり。
【請求項８】
前記上下可動体は、上面に凹状係止部を有する可動体本体部の下端に円筒状本体部の段差に係止する鍔部を有し、鍔部が段差に係止する状態において、可動体本体部の上部が円筒状本体部から突出した待機状態にあることを特徴とする請求項１〜７のいずれか１項に記載の戸当たり。
【請求項９】
前記係止体は、前記水平杆と一体で逆Ｌ字形を形成するドアに螺子止めされる垂直杆を、更に有することを特徴とする請求項２〜７のいずれか１項に記載の戸当たり。
【請求項１０】
前記バンバーは、前記垂直杆を収容する空間を有し、該垂直杆の下端部に軸着されることを特徴とする請求項９記載の戸当たり。
【請求項１１】
前記バンバーは、ドア面に対して起立状態として、ドアを解放した際、前記鉤状係止部より先に前記固定部材に当接する長さを有することを特徴とする請求項１〜１０のいずれか１項に記載の戸当たり。
【考案の詳細な説明】
【技術分野】
【０００１】
本考案は、ドア開放時の衝撃を緩和する戸当たりの機能と、ドアを開放状態に保持するドアキャッチャー機能の双方を有する戸当たりに関するものである。
【背景技術】
【０００２】
ドアを開放状態に保持するドアキャッチャーとしては、床に固定する戸当たり本体と、ドアに固定し、前記戸当たり本体の上端部と保持可能に形成した係止体からなるものが多数提案されている。また、戸当たりは、ドアが当たった時の衝撃を緩和するための弾性体を、戸当たりの周面に装着したものが知られている。しかしながら、この方法では、ドアキャッチャーと戸当たりのいずれか一方の機能しか有しないものである。
【０００３】
ドア開放時の衝撃を緩和する戸当たりの機能と、ドアを開放状態に保持するドアキャッチャー機能の双方を有する戸当たりとして、例えば、床に固定する戸当たり本体と、ドアに固定し、前記戸当たり本体の上端部と保持可能に形成した係止体から構成し、戸当たり本体、係止体のいずれか一方に保持力調整手段を配設した戸当たりであって、戸当たり本体の外表面を弾性体により覆い、かつ弾性体の外周部をドアに固定した係止体と当接するように形成した戸当たりが開示されている（特開２０００−４５６０６号公報）。特開２０００−４５６０６号公報に記載の戸当たりによれば、構造が簡単で、しかもドアを所定位置まで開くだけでドア側に突設した係止体が、床上に突設した戸当たり本体頂面の係止溝と自動的に係止してドア開放状態が保持されるとともに、このドア解放状態の保持力を容易に調整することができる。また、ドアを強く開放した場合でも戸当たりの弾性体にてその衝撃力を緩衝することができる。
【考案の開示】
【考案が解決しようとする課題】
【０００４】
しかしながら、特開２０００−４５６０６号公報に記載の戸当たりでは、係止体と戸当たり本体との係止が、丸み状先端の係止体と丸み断面形状の係止溝との係止であるため、係止の保持力は決して強いものではない。これは例え、バネの付勢力により保持力を高める構造であっても同様である。また、ドアを開放状態に保持することを望まない場合であっても、ドアを強く開放した場合には、戸当たり本体と係止体は係止してしまうという問題がある。
【０００５】
従って、本考案の目的は、簡易な構造であるにも拘わらず、ドア開放時の衝撃を緩和する戸当たりの機能と、ドアを開放状態に保持するドアキャッチャー機能の双方を有するものであって、この双方の機能は使い分けができると共に、戸当たり本体と係止体の係止が外れ難いものである戸当たりを提供することにある。
【０００６】
すなわち、本考案は、床に固定される固定部材と、上面に凹状係止部を有し、該固定部材の中にバネを介して嵌挿される上下可動体とを備える戸当たり本体と、先端に凹状嵌合部の内壁と係止する鉤状係止部を有するドアに固定される係止体と、ドア面に対して倒伏状態となる収納位置とドア面に対して起立状態となる使用位置の間で回動自在に該係止体に軸着される箱状のダンパー体と、を備える戸当たりを提供するものである。
【考案の効果】
【０００７】
本考案によれば、ドア開放時の衝撃を緩和する戸当たりの機能を使用したい場合、ダンパー体を使用状態にセットしておけば、ドアは強く開放した場合でも、ダンパー体が先に床側の固定部材に当たって衝突時の衝撃を緩和する。このため、係止体の先端の鉤状係止部を損傷させることがない。一方、ドアを開放状態に保持するドアキャッチャー機能を使用したい場合、ダンパー体を収納状態にセットしておけば、ドアを開放した際、鉤状係止部が上下可動体に当たって、バネ力に抗して上下可動体を押し下げ、次いで鉤状係止部が凹状嵌合部内を覗くような位置で上下可動体がバネ力により押し上げられ、鉤状係止部と凹状嵌合部が係止する。従って、簡易な構造であるにも拘わらず、戸当たり機能とドアキャッチャー機能の使い分けができる。また、凹状嵌合部の内壁を鉛直壁とし、鉤状係止部の係止面を鉛直面とすれば、係止は外れることはなく、ドア保持力が高まる。
【図面の簡単な説明】
【０００８】
【図１】本実施の形態における待機状態の戸当たりの斜視図である。
【図２】本実施の形態における係止状態の戸当たりの斜視図である。
【図３】本実施の形態における係止直前の戸当たりの側面図である。
【図４】本実施の形態における上下可動体が押し下げられた状態の戸当たりの側面図である。
【図５】本実施の形態における係止状態の戸当たりの側面図である。
【図６】図４の断面図である。
【図７】図５の断面図である。
【図８】本実施の形態におけるバンパーが使用状態の戸当たりの側面図である。
【図９】バンパーと固定部材が当接状態の戸当たりの側面図である。
【図１０】図９の断面図である。
【図１１】戸当たりの構成部材である係止体の取り付け方法を説明する図である。
【考案を実施するための形態】
【０００９】
本考案の実施の形態における戸当たりを図１〜図１１を参照して説明する。戸当たり１０は、床Ｂに固定される固定部材１１と、上面に凹状係止部１３を有し、固定部材１１の中にバネ７を介して嵌挿される上下可動体１２とを備える戸当たり本体１と、先端に凹状嵌合部１３の内壁１３１と係止する鉤状係止部２２を有するドアＡに固定される係止体２と、ドアＡ面に対して倒伏状態となる収納位置ＸとドアＡ面に対して起立状態となる使用位置Ｙの間で回動自在に係止体２に軸着される箱状のダンパー体３と、を備える。
【００１０】
戸当たり本体１は、床に固定される固定部材１１と固定部材１１の中に嵌挿されて上下方向に移動可能な上下可動体１２とからなる。固定部材１１は円筒状本体部１１１、円板状の基台５、円板状のバネ支持基台６、バネ７及びビスＣとを備える。
【００１１】
円筒状本体部１１１は両端が開口の中空構造であり、その内壁面には、上方から下方に向けて、第１内径部１５、第１内径部１５より大の内径を有する第２内径部１６及び第２内径部１６より同じか僅かに大の内径１７を有する雌螺子１７１が順次形成されている。第１内径部１５の内径は上下可動体１２の可動本体部１２１の外径より僅かに大とすることで、上下可動体１２の可動体体部１２１が第１内径部１５で形成される穴から出没自在としている。
【００１２】
また、第２内径部１６は、第１内径部１５より大の内径を有し、第１内径部１５と第２内径部１６とで段差１５１を形成している。段差１５１は、上下可動体１２の可動体本体部１２１の下端に形成される鍔部１２２が係止するため、上下可動体１２の上方への移動を規制している。すなわち、第２内径部１６の内径は、鍔部１２２の外径より僅かに大である。そして、鍔部１２２の外径は第１内径部１５の内径より大である。第２内径部１６の軸方向の長さは、上下可動体１２の移動距離（ストローク）と概ね同じである。
【００１３】
円筒状本体部１１１に形成される雌螺子１７１は、円板状の基台５と、円板状のバネ支持基台６がそれぞれ螺合するために形成されたものである。雌螺子１７１の軸方向の長さは、円筒状本体部１１１の軸方向の長さの概ね半分である。円筒状本体部１１１の軸方向の長さが短過ぎると、円板状の基台５と円板状のバネ支持基台６の両方を円筒状本体部１１１内に納めることができない。
【００１４】
円板状の基台６は、円筒状本体部１１１の雌螺子１７１に螺合する雄螺子が周面に形成されたものであり、更に上下方向に貫通する螺子孔６１が３つ形成されたものである。螺子孔６１を利用して、円板状の基台６は床に螺子止めすることができる。
【００１５】
円板状のバネ支持基台６は、円筒状本体部１１１の雌螺子１７１に螺合する雄螺子が周面に、上面の中央にバネ位置決め用突起６２がそれぞれ形成されたものである。すなわち、円板状のバネ支持基台６は、バネ部材７をバネ位置決め用突起６２にセットしたまま円筒状本体部１１１の下から螺合により、奥の方にねじ込まれ、雌螺子１７１のほぼ上端位置で固定される。円板状のバネ支持基台６は雌螺子１７１のほぼ上端位置以上にはねじ込むことはできないため、バネ部材７の下端位置が決定される。
【００１６】
上下可動体１２は、上面に凹状係止部１３を有する可動体本体部１２３の下端に円筒状本体部１１１の段差１５１に係止する鍔部１２２を有し、鍔部１２２が段差１５１に係止する状態において、可動体本体部１２３の上部が円筒状本体部１１１から突出した待機状態としたものである。上下可動体１２の上面縁の角は面取りされたものであるか、又はアールとすることで、係止体２の鉤状係止部２２の当たりが緩和し、また下方への押し込みが円滑となる。また、上下可動体１２は、下方への押し込みにより、円筒状本体部１１１の中に没入するように、軸方向の寸法が決定される。また、可動体本体部１２３の裏面の天板は、バネ部材７の上端との当接面となる。
【００１７】
凹状係止部１３は、円形状底面と円形状底面から起立する鉛直状の内周壁で形成されている。これにより、係止体２の鉤状係止部２２の鉛直面２２１との係止が確実で外れない係止構造をとることができる。
【００１８】
係止体２は、水平杆２１と一体で逆Ｌ字形を形成するドアに螺子止めされる垂直杆２４とを備えるものであり、水平杆２１の先端に鉤状係止部２２を有する（図１１参照）。また、垂直杆２４の下端部にバンパー３が軸着されている。
【００１９】
鉤状係止部２２は、凹状嵌合部１３の内壁に当接する鉛直面２２１と、上下可動体１２の上方の角部に当接する傾斜面２２２を有するフック形状である。これにより、上下可動体１２への当たりと下方への押し込みを円滑にすることができると共に、凹状嵌合部１３との係止が外れない係止構造とすることができる。なお、凹状嵌合部１３の内壁は内周面であり、鉤状係止部２２の鉛直面２２１は平面であるため、上記の当接は線接触を含む広い意味である。そして、鉤状係止部２２の鉛直面２２１は平面に限定されず、例えば、凹状嵌合部１３の内壁の形状に対応するような曲面であってもよい。更に、鉤状係止部２２の鉛直面２２１はこれに限定されず、先端がドア側にやや傾斜した傾斜面としてもよい。この場合、凹状嵌合部１３の内壁も底面に向けて拡径となるような傾斜面とすることで、一層外れ難い係止構造とすることができる。鉤状係止部２２の先端は尖り状ではなく丸み又は切り欠かれた状態とすることが、上下可動体１２を傷つけることがなく、また取り扱いも安全となる点で好ましい。
【００２０】
バンバー３は、使用状態にすれば、ドアが強く開放された場合、床側の円筒状本体部１１１の周面に当たり、その衝撃を緩和するものである。材質としては、樹脂製が好ましく、更に弾性部材とすることが衝撃緩和効果が大きいため好ましい。バンバー３は、垂直杆２４の下端部に軸着される箱状のものである。また、箱状の先端の面部材は、垂直杆２４を収容するため、開放側の一部が切りかかれている。また、箱状とすることで、先端部が面となり衝撃緩和効果をより発揮できる。また、収納状態では、垂直杆２４を箱内の空間に収容でき、意匠性に優れたものとすることができる。バンバー３の大きさは、垂直杆２４の幅及び長さにより決定される。垂直杆２４には前後方向に貫通するビス穴３６が形成されており、ドアへのビス止めができるようになっている。
【００２１】
バンバー３は、ドアＡ面に対して起立状態として、ドアＡを解放した際、鉤状係止部２２より先に円筒状本体部１１１の外周面に当接する長さを有するものである。これにより、戸当たり機能を発揮できる。
【００２２】
次に、本考案の戸当たりを取り付ける方法について説明する。先ず、床において円板状の基台６の設置位置を決めた後、取り付けネジにより床に固定する。次いで、円筒状本体部１１１を下端の穴から上下可動体１２を入れ込む。次いで、バネ部材７をバネ位置決め用突起６２にセットしたまま円板状のバネ支持基台５を円筒状本体部１１１の下から螺合により、奥の方にねじ込む。ねじ込みは円板状のバネ支持基台５が雌螺子１７１のほぼ上端となるところまで行なう。これにより、円板状のバネ支持基台５の位置が定まる。この状態において、円板状のバネ支持基台５の天面と段差１５１までが、上下可動体１２のストローク範囲となる。次いで、この組込み体を円板状の基台６に螺合により取り付ける。次いで、係止体２の鉤状係止部２２の垂直面を凹状嵌合部１３の内壁に当接、すなわち引っ掛けた後、垂直杆２４の裏側についている両面テープの剥離紙を剥がしてドアに押し付ける。次いで、バンパー３を使用状態にして、垂直杆２４のネジ穴３６が見えるようにし、このネジ穴３６を通して係止体２をドアＡにネジ止めする。
【００２３】
次に、本考案の戸当たりのドアキャッチャーとしての使用方法について説明する。バンパー３は、ドア面に倒伏するようにして収納状態にしておく。ドアを開放状態に保持するため、ドアを開放する。このとき、係止体２の鉤状係止部２２の傾斜面２２２が上下可動体１２の上端の角に当接する（図３）。更にドアが開かれると、上下可動体１２はバネ付勢に抗して下方に押し下げられ、遂には円筒状本体部１１１の中に没入する（図４）。なお、図４及び図６では鉤状係止部２２の先端と上下可動体１２は離れているが、実際には当接状態である。
【００２４】
次いで、更にドアが開かれると、鉤状係止部２２の先端が、上下可動体１２の凹状嵌合部１３に嵌る。このとき、上下可動体１２はバネの付勢力により上方へ押し上げられ、鍔部１２２が段差１５１に当たり、上方移動が規制され、当初の待機状態と同じ、頭だしの状態となるとともに、鉤状係止部２２の鉛直面と凹状嵌合部１３の鉛直内壁とが当接した状態となる（図５）。これにより、ドアは開放状態が保持され、如何なる外力が作用しても外れることはない。
【００２５】
次いで、ドアの開放保持状態を解除したい場合、手や足で上下可動体本体１２１の天面を踏み付け、上下可動体２をバネ力に抗して押し下げる。上下可動体２が円筒状本体部１１１に没入した状態で、ドアＡを閉めればよい。そして、手や踏み付けた足を外せば、上下可動体１２はバネの付勢力により上方へ押し上げられ、鍔部１２２が段差１５１に当たり、上方移動が規制され、当初の待機状態となる。
【００２６】
次に、本考案の戸当たりの戸当たり機能としての使用方法について説明する。先ず、バンパー３をドア面に対して起立状態（使用状態）とする。この状態において、ドアを強く開放した際、バンパー３の先端面３３が、円筒状本体部１１１の外周面に当たる。バンパー３の先端は、面形状であり且つ樹脂製材質であるため、衝突の衝撃は緩和される。また、このとき、鉤状係止部２２の先端は円筒状本体部１１１や上下可動体１２に当たらないため、鉤状係止部２２の先端部やこれらの部材を損傷させたりすることもない。
【００２７】
バンパー３の先端面３３は、使用状態において、必ずしも鉛直面となる必要はなく、図８及び図９に示すように、僅かに傾斜したものであってもよい。また、バンパー３の起立姿勢はドア面とバンパー３のなす角度が９０度より僅かに大とし、この状態で箱状の基部（軸よりドア側の部分）とドアが当接させることが、衝突の際、バンパー３が閉じる恐れがなくなる。
【産業上の利用可能性】
【００２８】
本考案の戸当たりは、意匠性が高く、簡易な構造でありながら、開きドアの戸当たり機能とドアキャッチャー機能の双方を有するため使い勝手がよい。特に、ドアキャッチャーとして使用した際、固定部材と係止体の係止が強く安定であるため、子供のいる家庭において安心して使用できる。
【符号の説明】
【００２９】
１    戸当たり本体
２    係止体  
５    円板状の基台
６    円板状のバネ支持基台
７    バネ部材
１０    戸当たり
１１    固定部材
１２    上下可動体
１３    凹状係止部
１５    第１内径部
１６    第２内径部
２２    鉤状係止部
１１１    円筒状本体部
１２１    可動体体部
１２２    鍔部
１３１    凹状嵌合部の内壁
１５１    段差
１７１    雌螺子
Ａ    ドア
Ｂ    床
Ｃ    ビス
Ｘ    バンパーの収納位置
Ｙ    バンパーの使用位置（起立状態）
【図１】
0003156456.tif 000003
【図２】
0003156456.tif 000004
【図３】
0003156456.tif 000005
【図４】
0003156456.tif 000006
【図５】
0003156456.tif 000007
【図６】
0003156456.tif 000008
【図７】
0003156456.tif 000009
【図８】
0003156456.tif 000010
【図９】
0003156456.tif 000011
【図１０】
0003156456.tif 000012
【図１１】
0003156456.tif 000013
【手続補正書】
【提出日】平成21年10月22日(2009.10.22)
【手続補正１】
【補正対象書類名】実用新案登録請求の範囲
【補正対象項目名】請求項１０
【補正方法】変更
【補正の内容】
【請求項１０】
前記ダンパー体は、前記垂直杆を収容する空間を有し、該垂直杆の下端部に軸着されることを特徴とする請求項１〜９のいずれか１項に記載の戸当たり。
【手続補正２】
【補正対象書類名】実用新案登録請求の範囲
【補正対象項目名】請求項１１
【補正方法】変更
【補正の内容】
【請求項１１】
前記ダンパー体は、ドア面に対して起立状態として、ドアを解放した際、前記鉤状係止部より先に前記固定部材に当接する長さを有することを特徴とする請求項１〜１０のいずれか１項に記載の戸当たり。